(57)【特許請求の範囲】
【請求項１】
下記の成分（Ａ）〜（Ｅ）；
（Ａ）プロピレングリコールモノラウリン酸エステル
（Ｂ）プロピレングリコールジラウリン酸エステル
（Ｃ）ラウリン酸
（Ｄ）脂肪酸石鹸を除くアニオン性界面活性剤
（Ｅ）水
を含有する洗浄剤組成物であって、
（Ａ）〜（Ｄ）成分の含有量の合計〔（Ａ）＋（Ｂ）＋（Ｃ）＋（Ｄ）〕が５〜３０質量％であり、
（Ｅ）成分の含有量が７０〜９５質量％であり、
（Ｂ）成分に対する（Ａ）成分の質量比率（Ａ）／（Ｂ）が１８．４〜３８．４であり、
（Ｃ）成分に対する（Ａ）と（Ｂ）成分の合計の質量比率〔（Ａ）＋（Ｂ）〕／（Ｃ）が３９〜６５．７であり、
（Ａ）〜（Ｃ）成分の合計に対する（Ｄ）成分の質量比率（Ｄ）／〔（Ａ）＋（Ｂ）＋（Ｃ）〕が１〜３０である洗浄剤組成物。
【発明の詳細な説明】
【技術分野】
【０００１】
本発明は、洗浄剤組成物に関する。
【背景技術】
【０００２】
洗浄剤組成物は泡立ちの良さや泡の持続性といった洗浄力の高さに加え、安全性や防腐性、保存安定性に優れる、適度な粘度を持つ、良好な仕上がり感がある、といった多様な効果が求められている。プロピレングリコールモノ脂肪酸エステルは、洗浄剤組成物中に増粘剤として好適に用いることができ、増粘性に加え、起泡性、低温での安定性に優れた洗浄剤が得られることが知られている（例えば、特許文献１〜３）。
ところが、洗浄剤組成物には、近年の消費者意識の向上により、さらに高度な性能が求められるようになってきた。このような性能の１つに、洗浄時の泡のすべり性がある。単に泡立ちが良く立った泡が持続するだけでなく、使用時に摩擦感が無く、つるつるとした滑りの良い泡ができることが求められるようになってきた。
【０００３】
洗浄時の泡のすべり性を向上するためには、洗浄剤組成物に油性成分を加えることが考えられるが、このような油性成分の存在は、洗浄剤組成物の泡立ちを阻害し、洗浄剤の粘度を低下させてしまう。泡質を良くすることが泡としての基本性能を損なってしまうのであり、洗浄時の泡のすべり性の向上は、洗浄剤組成物の高度化した性能のうちでも、とりわけ達成の難しい性能である。
【先行技術文献】
【特許文献】
【０００４】
【特許文献１】特開昭６２−０８４１９６号公報
【特許文献２】特開平１０−７２３２５号公報
【特許文献３】特開平９−９５４２７号公報
【発明の概要】
【発明が解決しようとする課題】
【０００５】
上記の通り、本発明の目的は、洗浄時の泡のすべり性に優れ、かつ起泡性、安定性、増粘性に優れた洗浄剤組成物を提供することにある。
【課題を解決するための手段】
【０００６】
本発明者らは、上記事項に鑑みて鋭意検討した結果、増粘剤であるプロピレングリコールモノラウリン酸エステルに加えて、これと共通する部分構造を有するジエステル体およびフリーな脂肪酸体を特定の質量比で配合した特定配合のアニオン性界面活性剤系の洗浄剤組成物とすることにより、上記課題が解決することを見出した。
すなわち本発明は次の〔１〕である。
【０００７】
〔１〕下記の成分（Ａ）〜（Ｅ）；
（Ａ）プロピレングリコールモノラウリン酸エステル
（Ｂ）プロピレングリコールジラウリン酸エステル
（Ｃ）ラウリン酸
（Ｄ）脂肪酸石鹸を除くアニオン性界面活性剤
（Ｅ）水
を含有する洗浄剤組成物であって、
（Ａ）〜（Ｄ）成分の含有量の合計〔（Ａ）＋（Ｂ）＋（Ｃ）＋（Ｄ）〕が５〜３０質量％であり、
（Ｅ）成分の含有量が７０〜９５質量％であり、
（Ｂ）成分に対する（Ａ）成分の質量比率（Ａ）／（Ｂ）が１８．４〜３８．４であり、
（Ｃ）成分に対する（Ａ）と（Ｂ）成分の合計の質量比率〔（Ａ）＋（Ｂ）〕／（Ｃ）が３９〜６５．７であり、
（Ａ）〜（Ｃ）成分の合計に対する（Ｄ）成分の質量比率（Ｄ）／〔（Ａ）＋（Ｂ）＋（Ｃ）〕が１〜３０である洗浄剤組成物。
【発明の効果】
【０００８】
本発明によれば、洗浄時の泡のすべり性に優れ、かつ起泡性、安定性、増粘性に優れた洗浄剤組成物を得ることが出来る。
【発明を実施するための形態】
【０００９】
以下、本発明について詳細に説明する。
本発明は、成分（Ａ）〜（Ｅ）の成分を含有する洗浄剤組成物である。
＜成分（Ａ）＞
成分（Ａ）プロピレングリコールモノラウリン酸エステルは、プロピレングリコールとラウリン酸のモノエステルである。またラウリン酸はヤシ油、パーム油やココナッツオイル由来等のものを用いることができる。成分（Ａ）は洗浄剤組成物中のアニオン性界面活性剤の形成するミセルを棒状に成長させ、洗浄剤組成物を増粘させるのに加え、洗浄剤の形成する泡の界面における界面活性剤の密度を高め、起泡性を向上させる。
【００１０】
＜成分（Ｂ）＞
成分（Ｂ）プロピレングリコールジラウリン酸エステルは、プロピレングリコールとラウリン酸のジエステルである。、またラウリン酸はヤシ油、パーム油やココナッツオイル由来等のものを用いることができる。成分（Ｂ）は油剤として洗浄剤における泡のすべり性を高める。
【００１１】
本発明の洗浄剤組成物において、（Ａ）成分の（Ｂ）成分に対する質量比率（Ａ）／（Ｂ）は、１８．４〜３８．４であり、好ましくは、２８〜３８、より好ましくは３３〜３８である。１８．４より小さく、プロピレングリコールジラウリン酸エステルの割合が増えると、増粘せず、また起泡性に劣る。３８．４より大きくなると、プロピレングリコールジラウリン酸エステルの割合が少なすぎるため、泡のすべり性に劣る。
【００１２】
＜成分（Ｃ）＞
（Ｃ）成分は、脂肪酸石鹸を構成しうる特定の脂肪酸であり、脂肪酸石鹸でない（Ｄ）成分と組み合わせて用いることにより本願効果を奏する。成分（Ｃ）ラウリン酸は、ヤシ油、パーム油やココナッツオイル由来等のものを用いることができる。成分（Ｃ）も適量配合することで洗浄剤の形成する泡の界面における界面活性剤の密度を高め、起泡性を向上させる。
【００１３】
本発明の洗浄剤組成物において、（Ｃ）成分に対する（Ａ）と（Ｂ）成分の合計の質量比率〔（Ａ）＋（Ｂ）〕／（Ｃ）は、３９〜６５．７であり、好ましくは、４１〜６０、より好ましくは４５〜５５である。３９より小さいとラウリン酸の割合が増え、低温で析出が起こり、安定性に劣る。また６５．７より大きいとラウリン酸が泡立ちを阻害する。
【００１４】
＜成分（Ｄ）＞
成分（Ｄ）アニオン性界面活性剤は、１種単独でまたは２種以上を適宜組み合わせて用いることができる。ただし、脂肪酸石鹸を含まない。アニオン性界面活性剤としては、例えば、アルキル硫酸塩、ポリオキシエチレンアルキルエーテル硫酸塩（例えば、ポリオキシエチレンラウリルエーテル硫酸ナトリウム）、アルキルアミドエーテル硫酸塩、ポリオキシエチレンアミドエーテル硫酸塩等の硫酸エステル塩；  α−オレフィンスルホン酸塩、Ｎ−アシルメチルタウリン塩（例えば、ココイルメチルタウリンナトリウム）、Ｎ−アシルイセチオン酸塩等のスルホン酸塩；  Ｎ−アシルグルタミン酸塩(例えばココイルグルタミン酸ナトリウム)、Ｎ−アシルメチルアラニン塩（例えば、ラウロイルメチル−β−アラニンナトリウム）、Ｎ−アシルザルコシン塩等のＮ−アシルアミノ酸塩；  ポリオキシエチレンアルキルエーテル酢酸塩等のアルキル酢酸エステル塩；  アルキル燐酸塩、ポリオキシエチレンアルキルエーテルリン酸塩等のアルキルリン酸エステル塩；  ヤシ油脂肪酸加水分解コラーゲンカリウム、ラウロイル加水分解シルクナトリウム等のＮ−アシルポリペプチド塩；  ジアルキルスルホコハク酸、ポリオキシアルキレンアルキルスルホコハク酸塩等のアルキルスルホコハク酸塩が挙げられる。
【００１５】
これらの中でも、硫酸エステル塩、Ｎ−アシルアミノ酸塩が好ましく挙げられる。これらのアルキル基もしくはアシル基の炭素数は、洗浄力、起泡力の観点から、好ましくは１０〜１８であり、さらに好ましくは１２〜１４である。
上記のアニオン性界面活性剤の対イオンとしては、アルカリ金属塩、アルカリ土類金属
塩、アンモニウム塩、アルカノールアミン塩、アミノ酸塩等が挙げられる
【００１６】
本発明の洗浄剤組成物において、（Ａ）〜（Ｃ）成分の合計に対する（Ｄ）成分の質量比率（Ｄ）／〔（Ａ）＋（Ｂ）＋（Ｃ）〕は、１〜３０であり、好ましくは５〜２５、より好ましくは１０〜２０である。１より小さいと洗浄剤組成物の粘度が非常に上がるため、ハンドリング性に劣る。また３０より大きいの場合、洗浄剤組成物は増粘しない。
【００１７】
＜成分（Ｅ）＞
本発明で用いられる水（Ｅ）としては、精製水、蒸留水、イオン交換水などが挙げられる。
本発明の洗浄剤組成物において、（Ｅ）成分の含有量は、７０〜９５質量％である。成分（Ｅ）が９５質量％以上では洗浄力が不十分である。この観点から、成分（Ｅ）の含有量は、９３質量％以下が好ましく、９０質量％以上がより好ましい。また、成分（Ｅ）の含有量が７０質量％より少ない場合は洗浄後のしっとり感、洗い上がりのぬるつきの低減、および低温安定性が不十分である。この観点からは、成分（Ｅ）の含有量は、７０質量％以上が好ましく、７５質量％以上がより好ましい。
【００１８】
＜洗浄剤組成物＞
本発明の洗浄剤組成物において、（Ａ）〜（Ｄ）成分の含有量の合計〔（Ａ）＋（Ｂ）＋（Ｃ）＋（Ｄ）〕が５〜３０質量％、好ましくは７〜２５質量％、より好ましくは１０〜２５質量％である。合計量％が少なすぎると洗浄力が不十分であり、多すぎると洗浄後のしっとり感、洗い上がりのぬるつきの低減、および低温安定性が不十分である。
【００１９】
本発明では、より高度な粘度制御をするために、さらに式（１）で表わされる成分（Ｆ）のポリオキシアルキレンポリオールイソステアリル酸エステルを０．１〜１０質量％配合することが出来る。
Ｚ−（Ｏ[（ＥＯ）ｍ（ＡＯ）ｎ]−Ｒ１）ａ      ・・・（１）
［式（１）中、Ｚは炭素数６以上１８以下、水酸基を３以上１２以下持つ環状のアセタール構造を有する糖骨格から水酸基を除いた残基であり、式（１）では、水酸基を除いた位置に、−（Ｏ[（ＥＯ）ｍ（ＡＯ）ｎ]−Ｒ１）が結合されている。３≦ａ≦１２、ＥＯはオキシエチレン基、ＡＯは炭素数３から４のオキシアルキレン基、Ｒ１はイソステアリン酸残基あるいは水素原子でエステル化率３５〜１００％である。ｍおよびｎはオキシエチレン基、オキシアルキレン基の平均付加モル数で１２≦ｍ＋ｎ≦７０、ｍ／（ｍ＋ｎ）≧０．８を満たす。］
【００２０】
ポリオキシアルキレンポリオールイソステアリル酸エステルとしては、例えば、トリイソステアリン酸ＰＥＧ−１２０メチルグルコース等が挙げられる。
【００２１】
さらに、本発明の洗浄剤組成物には、その他の任意成分を添加することができる。例えば、植物油脂、動物油脂などの油脂類；  スクワラン、流動パラフィン、水添ポリイソブテンなどの炭化水素油；  セチルアルコール、ステアリルアルコール、セトステアリルアルコールなどの高級アルコール類；  環状シリコーン、ジメチルポリシロキサン、アミノ変性ポリシロキサンなどのシリコーン類；  パルミチン酸２−エチルヘキシル、トリ（カプリル／カプリン酸）グリセリル、ミリスチン酸イソプロピルなどのエステル油；  塩化ステアリルトリメチルアンモニウム、塩化ベンザルコニウム、ココイルアルギニンエチルＰＣＡなどのカチオン性界面活性剤；アルキルジメチルアミノ酢酸ベタイン、アルキルカルボキシメチルヒドロキシエチルイミダゾリニウムベタイン、アルキルアミドプロピルベタイン、アルキルヒドロキシスルホベタイン、アルキルイミノジ酢酸塩などの両性界面活性剤；  ポリオキシエチレンアルキルエーテル、ポリグリセリン脂肪酸エステル、ポリオキシエチレングリセリン脂肪酸エステルなどのノニオン性界面活性剤；  エタノールなどの溶剤；  クエン酸塩、コハク酸塩、リンゴ酸塩、酒石酸塩などのｐＨ調整剤；  トコフェロールなどの抗酸化剤；  多糖類、アミノ酸、ペプチド、防腐剤、香料、着色剤などを適宜配合することができる。
【００２２】
本発明の洗浄剤組成物は、常法に従って製造できる。また、その剤型は任意であり、透明系液体状、パール系液体状、ペースト状、クリーム状、ゲル状等にすることができ、シャンプー等の毛髪洗浄剤や、ボディーソープ、洗顔料、ハンドソープ等の皮膚洗浄剤等に用いることができる。
【実施例】
【００２３】
以下、本発明を実施例および比較例により具体的に説明する。
［実施例１〜１１および比較例１〜６］
＜洗浄剤組成物の調製＞
表１および表２に示した実施例１〜１１および比較例１〜６の各原料をビーカーに全て投入し、プロペラを使って１時間攪拌した。表中の配合量は質量％であり、「−」は０質量％を意味する。表中、ラウレス硫酸Ｎａ（２５ｗｔ％）はパーソフトＥＦ（日油（株）製）、ココイルメチルタウリンＮａ（３０ｗｔ％）は、ダイヤポンＫ−ＳＦ（日油（株）製）、ココイルグルタミン酸Ｎａ（３０ｗｔ％）はアミソフトＣＳ−２２（味の素（株）製）、ラウロイルメチルアラニンＮａ（３０ｗｔ％）はソフティルトＡＳ−Ｌ（日油（株）製）、コカミドプロピルベタイン（３０ｗｔ％）は、ニッサンアノンＢＤＦ−Ｒ（日油（株）製）トリステアリン酸ＰＥＧ−１２０メチルグルコース（７５ｗｔ％）はマクビオブライドＭＧ−Ｔ（日油（株）製）を用いた。なお、これらの原料について、カッコ内の数値は成分の含量であり、残部は水である。
【００２４】
＜洗浄剤組成物の評価＞
（泡のすべり性、起泡性）
専門パネラー２０名による使用感テストを行った。１）泡のすべり性、２）起泡性について、各人が下記評価にて４段階評価し、評点をつけ、その平均を評価結果とした。
１）泡のすべり性
◎：すべり性が非常に良好
○：すべり性が良好
△：すべり性があまり良くない
×：すべり性が悪い
２）起泡性
◎：泡立ちが非常に良好
○：泡立ちが良好
△：泡立ちがあまり良くない
×：泡立ちが悪い
【００２５】
（安定性）
安定性は、４０℃および０℃で１ヶ月保管後の液体洗浄剤組成物の外観を観察することにより評価した。
○：４０℃、０℃において一ヶ月安定
×：４０℃、０℃において一ヶ月以内に沈殿が生じた
（粘度）
洗浄剤組成物の２５℃における粘度をＥ型粘度計（使用機器：ＶＩＳＣＯＭＥＴＥＲ  ＲＥ−８５および同ＲＥ−２１５  （東機産業（株）製））により測定した。なお、粘度測定値が５００ｍＰａ・ｓｅｃ以上のとき実使用に供することができると判断される。
配合とともに評価結果を表１、表２に記載する。
【００２６】
【表１】
0006558202.tif 000002
【００２７】
【表２】
0006558202.tif 000003
【００２８】
実施例１〜１１より、本発明の洗浄剤組成物は、いずれにおいても泡のすべり性、起泡性、増粘性、安定性に優れた組成物であった。
【００２９】
一方、比較例１〜６では十分な効果が得られていない。比較例１では、（Ａ）／（Ｂ）が１８．４〜３８．４の範囲をはずれ、成分（Ｂ）の含有量が高いため、洗浄剤組成物の起泡性が悪化し、増粘していない。比較例４では、（Ａ）／（Ｂ）が１８．４〜３８．４の範囲をはずれ、成分（Ｂ）の含有量が少ないため、泡のすべり性に劣る。
【００３０】
比較例２では、〔（Ａ）＋（Ｂ）〕／（Ｃ）が３９〜６５．７の範囲をはずれ、成分（Ｃ）の含有量が高いために成分（Ｃ）が析出し、安定性が悪化するとともに、起泡性も損なわれている。比較例５では、〔（Ａ）＋（Ｂ）〕／（Ｃ）が３９〜６５．７の範囲をはずれ、成分（Ｃ）の含有量が少ないため、起泡性に劣る。
【００３１】
比較例６では、〔（Ａ）＋（Ｂ）＋（Ｃ）＋（Ｄ）〕の質量％が５質量％より小さいため、界面活性剤の濃度が低く、泡のすべり性、起泡性、増粘性を発現しない。
【００３２】
比較例３では、（Ｄ）／〔（Ａ）＋（Ｂ）＋（Ｃ）〕が１〜３０の範囲をはずれ、成分〔（Ａ）＋（Ｂ）＋（Ｃ）〕の含有量が少ないため、増粘せず、泡のすべり性、起泡性に劣る結果となった。